(57)【要約】【課題】クレジットカード運営会社ごとに異なる条件でも割引の設定ができる商品販売データ登録処理装置及び商品販売データ登録処理システムを提供する。【解決手段】商品販売データ登録処理装置は、割引条件を格納する企画テーブルと、クレジット運営会社ごとに固有に割り当てられる会社コードごとに企画テーブルのファイル名を格納する設定テーブルと、クレジットカードに格納されるクレジットカード運営会社を識別する企業識別子ごとに会社コードを格納する変換テーブルと、クレジットカード決済が選択された場合、クレジットカードの企業識別子を変換テーブルに従って会社コードに変換し、会社コードに従って設定テーブルから企画テーブルのファイル名を読み出し、当該ファイル名の企画テーブルから割引条件を読み出し、割引条件が満たされた場合、企画テーブルに格納された割引率によって割引決済を実行する制御部と、を備える。【選択図】図２
2015052880.tif 000002
【特許請求の範囲】
【請求項１】
情報を入出力する入出力部と、
商品毎に固有に割り当てられる識別子である商品コード毎に単価を格納する商品マスタと、
一取引の内容を格納するトランザクションファイルと、
割引条件を格納する企画テーブルと、
クレジットカード運営会社ごとに固有に割り当てられる会社コードごとに前記企画テーブルのファイル名を格納する設定テーブルと、
クレジットカードに格納される前記クレジットカード運営会社を識別する企業識別子ごとに会社コードを格納する変換テーブルと、
クレジットカード決済が選択された場合、前記クレジットカードの前記企業識別子を前記変換テーブルに従って会社コードに変換し、前記会社コードに従って前記設定テーブルから前記企画テーブルのファイル名を読み出し、当該ファイル名の前記企画テーブルから前記割引条件を読み出し、前記割引条件が満たされた場合、前記企画テーブルに格納された割引率によって割引決済を実行する制御部と、
を備える商品販売データ登録処理装置。
【請求項２】
前記企画テーブルは、
複数の割引条件の項目を格納する請求項１記載の商品販売データ登録処理装置。
【請求項３】
前記制御部は、
前記商品販売データ登録処理装置とは別体のサーバから前記企画テーブルをダウンロードする請求項２記載の商品販売データ登録処理装置。
【請求項４】
情報を入出力する入出力部と、
商品毎に固有に割り当てられる識別子である商品コード毎に単価を格納する商品マスタと、
一取引の内容を格納するトランザクションファイルと、
割引条件を格納する企画テーブルと、
クレジットカード運営会社ごとに固有に割り当てられる会社コードごとに前記企画テーブルのファイル名を格納する設定テーブルと、
クレジットカードに格納される前記クレジットカード運営会社を識別する企業識別子ごとに会社コードを格納する変換テーブルと、
クレジットカード決済が選択された場合、前記クレジットカードの前記企業識別子を前記変換テーブルに従って会社コードに変換し、前記会社コードに従って前記設定テーブルから前記企画テーブルのファイル名を読み出し、当該ファイル名の前記企画テーブルから前記割引条件を読み出し、前記割引条件が満たされた場合、前記企画テーブルに格納された割引率によって割引決済を実行する制御部と、
通信を行う通信部と、
を備える商品販売データ登録処理装置と、
割引条件を格納する企画テーブルと、
クレジット運営会社ごとに固有に割り当てられる会社コードごとに前記企画テーブルのファイル名を格納する設定テーブルと、
通信を行うサーバ通信部と、
を備えるサーバと、
を備える商品販売データ登録処理システム。
【請求項５】
前記企画テーブルは、
複数の割引条件の項目を格納する請求項４記載の商品販売データ登録処理システム。
【請求項６】
前記制御部は、
前記サーバから前記企画テーブルをダウンロードする請求項５記載の商品販売データ登録処理システム。
【発明の詳細な説明】
【技術分野】
【０００１】
本発明の実施形態は、商品販売データ登録処理装置及び商品販売データ登録処理システムに関する。
【背景技術】
【０００２】
例えばＰＯＳ（Ｐｏｉｎｔ  ｏｆ  ｓａｌｅｓ）端末などの商品販売データ登録処理装置はクレジットカードの決済ができるものがある。
【０００３】
クレジットカードの運営会社は複数存在し、顧客に自社のカードによって決済してもらうようにそれぞれ販売戦略を行っている。
【０００４】
例えば、ある期間だけ特定の条件を満たす顧客に割引販売を行うような販売促進戦略がとられることがある。
【０００５】
この点に関し、従来の商品販売データ登録処理装置はクレジットカードの運営会社ごとに割引率を設定することはできたが、それ以上の細かい条件設定はできなかった。特に、従来の商品販売データ登録処理装置はクレジットカード運営会社ごとに異なる割引条件を設定することはできなかった。
【先行技術文献】
【特許文献】
【０００６】
【特許文献１】特開２０００−２５１１５７号公報
【発明の概要】
【発明が解決しようとする課題】
【０００７】
従って、クレジットカード運営会社ごとに異なる条件でも割引の設定ができる商品販売データ登録処理装置及び商品販売データ登録処理システムが求められている。
【課題を解決するための手段】
【０００８】
上記の課題を解決するために、本発明の一実施形態は、情報を入出力する入出力部と、商品毎に固有に割り当てられる識別子である商品コード毎に単価を格納する商品マスタと、一取引の内容を格納するトランザクションファイルと、割引条件を格納する企画テーブルと、クレジット運営会社ごとに固有に割り当てられる会社コードごとに企画テーブルのファイル名を格納する設定テーブルと、クレジットカードに格納されるクレジットカード運営会社を識別する企業識別子ごとに会社コードを格納する変換テーブルと、クレジットカード決済が選択された場合、クレジットカードの企業識別子を変換テーブルに従って会社コードに変換し、会社コードに従って設定テーブルから企画テーブルのファイル名を読み出し、当該ファイル名の企画テーブルから割引条件を読み出し、割引条件が満たされた場合、企画テーブルに格納された割引率によって割引決済を実行する制御部と、を備える商品販売データ登録処理装置を提供する。
【図面の簡単な説明】
【０００９】
【図１】商品販売データ登録処理装置の外観斜視図である。
【図２】商品販売データ登録処理装置を含む商品販売データ登録処理システムの構成を示すブロック図である。
【図３】商品マスタのデータ構成を示す図である。
【図４】トランザクションファイルのデータ構成を示す図である。
【図５】設定テーブルのデータ構成を示す図である。
【図６】企画テーブルのデータ構成の例を示す図である。
【図７】変換テーブルのデータ構成を示す図である。
【図８】商品販売データ登録処理装置の動作を示すフローチャートである。
【発明を実施するための形態】
【００１０】
以下、商品販売データ登録処理装置及び商品販売データ登録処理システムの一実施形態について、図面を用いて詳細に説明する。
【００１１】
本実施形態の商品販売データ登録処理装置は、情報を入出力する入出力部と、商品毎に固有に割り当てられる識別子である商品コード毎に単価を格納する商品マスタと、一取引の内容を格納するトランザクションファイルと、割引条件を格納する企画テーブルと、クレジット運営会社ごとに固有に割り当てられる会社コードごとに企画テーブルのファイル名を格納する設定テーブルと、クレジットカードに格納されるクレジットカード運営会社を識別する企業識別子ごとに会社コードを格納する変換テーブルと、クレジットカード決済が選択された場合、クレジットカードの企業識別子を変換テーブルに従って会社コードに変換し、会社コードに従って設定テーブルから企画テーブルのファイル名を読み出し、当該ファイル名の企画テーブルから割引条件を読み出し、割引条件が満たされた場合、企画テーブルに格納された割引率によって割引決済を実行する制御部と、を備える。
【００１２】
図１は、商品販売データ登録処理装置１（以下、登録処理装置１と言う。）の外観斜視図である。図１に示すように、ＰＯＳ（Ｐｏｉｎｔ  ｏｆ  ｓａｌｅｓ）端末などの登録処理装置１は、本体部１０１と、タッチパネル等の入出力装置であるオペレータ側入出力装置１２Ａと、顧客側に向けられるタッチパネル等の入出力装置である客面入出力装置１２Ｂと、記録媒体に画像形成する画像形成装置であるプリンタ１２Ｃと、クレジットカードの情報を読み取るカードリーダ１０２と、キーボード１０３と、を備える。
【００１３】
以下、オペレータ側入出力装置１２Ａ及び客面入出力装置１２Ｂを入出力部１２と呼ぶ。
【００１４】
登録処理装置１はさらに、商品のバーコードをスキャンするスキャナを備えていてもよい。登録処理装置１は入出金装置と接続して使用することができる。
【００１５】
図２は、登録処理装置１を含む商品販売データ登録処理システムの構成を示すブロック図である。図２に示すように、登録処理装置１は、演算装置であるＣＰＵ（Ｃｅｎｔｒａｌ  ｐｒｏｃｅｓｓｉｎｇ  ｕｎｉｔ）を含む制御部２０１と、メモリ、ハードディスクドライブ等の記憶装置を含む記憶部２０２と、情報を入出力する入出力部１２と、カードリーダ１０２と、プリンタ１２Ｃと、情報通信を行う通信部２０３と、を備える。
【００１６】
記憶部２０２は、商品毎に固有に割り当てられる識別子である商品コード毎に単価を格納する商品マスタ２０２Ａと、一取引の内容を格納するトランザクションファイル２０２Ｂと、クレジット運営会社ごとに固有に割り当てられる会社コードごとに割引条件を格納する企画テーブル２０２Ｄのファイル名を格納する設定テーブル２０２Ｃと、割引条件を格納する企画テーブル２０２Ｄと、クレジットカードに格納されるクレジットカード運営会社を識別する企業識別子ごとに会社コードを格納する変換テーブル２０２Ｅと、を格納する。
【００１７】
記憶部２０２は、商品販売データ登録処理プログラムを格納し、制御部２０１は記憶部２０２から商品販売データ登録処理プログラムを読み出して実行する。
【００１８】
サーバ２は、演算装置であるＣＰＵを含むサーバ制御部２１１と、メモリ、ハードディスクドライブ等の記憶装置を含むサーバ記憶部２１２と、情報通信を行うサーバ通信部２１３と、を備える。
【００１９】
サーバ記憶部２１２は、設定テーブル２０２Ｃと同様のデータ内容を格納する設定テーブル２１２Ｃと、企画テーブル２０２Ｄと同様のデータ内容を格納する企画テーブル２１２Ｄと、を格納する。
【００２０】
登録処理装置１は、通信部２０３及びサーバ通信部２１３を介して設定テーブル２１２Ｃと企画テーブル２１２Ｄとをサーバ２からダウンロードし、それぞれ設定テーブル２０２Ｃと企画テーブル２０２Ｄに格納する。
【００２１】
なお、登録処理装置１は、設定テーブル２１２Ｃと企画テーブル２１２Ｄとをダウンロードする代わりに、必要に応じて企画テーブル２１２Ｄの内容をサーバ２に読みに行くようにしてもよい。
【００２２】
図３は、商品マスタ２０２Ａのデータ構成を示す図である。図３に示すように、商品マスタ２０２Ａは、商品に固有に割り当てられる「商品コード」と、商品の名称を示す「名称」と、商品の単価を示す「単価」と、当該商品の販売部門を示す「部門」と、を格納する。
【００２３】
各データの例は、商品コードが「５０１２３４」、名称が「ゴルフバッグ」、単価が「５００００」、部門が「５０１」である。
【００２４】
図４は、トランザクションファイル２０２Ｂのデータ構成を示す図である。図４に示すように、トランザクションファイル２０２Ｂは、「商品コード」と、「名称」と、「単価」と、「部門」と、販売数量を示す「数量」と、を格納する。
【００２５】
各データの例は、商品コードが「５０１２３４」、名称が「ゴルフバッグ」、単価が「５００００」、部門が「５０１」、数量が「１」である。
【００２６】
図５は、設定テーブル２０２Ｃのデータ構成を示す図である。図５に示すように、設定テーブル２０２Ｃは、クレジットカード運営会社ごとに固有に割り当てられる「会社コード」と、当該会社のカードによって決済した場合の割引の条件を格納する企画テーブル２０２Ｄのファイル名を示す「企画テーブル名」と、を格納する。
【００２７】
図６は、企画テーブル２０２Ｄのデータ構成の例を示す図である。企画テーブル２０２Ｄのデータ構成はクレジット運営会社ごとに異なる。従って、記憶部２０２は複数の企画テーブル２０２Ｄを格納する。
【００２８】
図６に示すように、企画テーブル２０２Ｄは、例えば割引キャンペーンの実施日を示す「実施日」と、割引率を示す「割引率」と、割引対象者の年齢を示す「年齢条件」と、を格納する。
【００２９】
各データの例は、実施日が「２０１３０９３１」、割引率が「１０．００」、年齢条件が「６５」である。
【００３０】
図７は、変換テーブル２０２Ｅのデータ構成を示す図である。図７に示すように、変換テーブル２０２Ｅは、クレジットカードに格納されるクレジットカード運営会社を識別する「企業識別子」と、「会社コード」と、を格納する。
【００３１】
各データの例は、企業識別子が「１１００００１２３４」、会社コードが「１００５６７」である。
【００３２】
図８は、登録処理装置１の動作を示すフローチャートである。登録処理装置１はスキャナまたはキーボード１０３から入力した商品コードに基づいて商品マスタ２０２Ａを検索し、単価を読み出す。登録処理装置１はさらに商品の数量を入力し、取引の内容をトランザクションファイル２０２Ｂに格納する。
【００３３】
図８に示すように、ステップ８０１において、登録処理装置１はクレジットカードによる決済であるかを判定する。登録処理装置１はクレジットカードによる決済であると判定した場合、ステップ８０２に進み、クレジットカードによる決済であると判定しなかった場合、処理を終了し、通常決済を行う。
【００３４】
ステップ８０２において、登録処理装置１はカードリーダ１０２によってクレジットカードに格納された企業識別子を読み込む。
【００３５】
ステップ８０３において、登録処理装置１は読み込んだ企業識別子に基づいて変換テーブル２０２Ｅを検索し、企業識別子を会社コードに変換する。
【００３６】
ステップ８０４において、登録処理装置１は会社コードに基づいて設定テーブル２０２Ｃを検索し、企画テーブル２０２Ｄのファイル名を読み込む。
【００３７】
ステップ８０５において、登録処理装置１は該当する企画テーブル２０２Ｄが記憶部２０２に存在するかを判定する。登録処理装置１は記憶部２０２に該当する企画テーブル２０２Ｄが存在すると判定した場合、ステップ８０６に進み、存在しないと判定した場合、処理を終了して通常決済を行う。
【００３８】
ステップ８０６において、登録処理装置１は企画テーブル２０２Ｄを読み込む。ここで、条件の項目は各クレジットカード運営会社によって異なるが、商品販売データ登録処理プログラムには各クレジットカード運営会社の処理ルーチンが記載されているため、登録処理装置１は各条件のパラメータを企画テーブル２０２Ｄから読み込むことにより割引条件の成否を判定できる。
【００３９】
ステップ８０７において、登録処理装置１はクレジットカードに記載された情報又は決済情報から割引条件を満たすかを判定する。例えば、登録処理装置１は年齢条件についてクレジットカードのＪＩＳ−２データの中に含まれる生年月日と、登録処理装置１のクロックの日付と、を使用して顧客の年齢を算出し、年齢条件の成否を判定する。
【００４０】
登録処理装置１はすべての割引条件が成立していると判定した場合、ステップ８０８に進み、いずれかの割引条件が成立していないと判定した場合、ステップ８１０に進む。
【００４１】
ステップ８０８において、登録処理装置１はオペレータ側入出力装置１２Ａに割引率確認のためのポップアップを表示する。登録処理装置１はこのポップアップの「続行ボタン」が押下された場合、ステップ８０９に進み、「キャンセルボタン」が押下された場合、通常の決済処理を行う。
【００４２】
ステップ８０９において、登録処理装置１はクレジットの決済処理を、企画テーブル２０２Ｄの割引率に従って割り引いて行う。
【００４３】
ステップ８１０において、登録処理装置１はエラー処理を行う。
【００４４】
以上述べたように、本実施形態の登録処理装置１は、情報を入出力する入出力部１２と、商品毎に固有に割り当てられる識別子である商品コード毎に単価を格納する商品マスタ２０２Ａと、一取引の内容を格納するトランザクションファイル２０２Ｂと、クレジット運営会社ごとに固有に割り当てられる会社コードごとに割引条件を格納する企画テーブル２０２Ｄのファイル名を格納する設定テーブル２０２Ｃと、割引条件を格納する企画テーブル２０２Ｄと、クレジットカードに格納されるクレジットカード運営会社を識別する企業識別子ごとに会社コードを格納する変換テーブル２０２Ｅと、クレジットカード決済が選択された場合、クレジットカードの企業識別子を変換テーブル２０２Ｅに従って会社コードに変換し、会社コードに従って設定テーブル２０２Ｃから企画テーブル２０２Ｄのファイル名を読み出し、当該ファイル名の企画テーブル２０２Ｄから割引条件を読み出し、この割引条件が満たされた場合、企画テーブル２０２Ｄに格納された割引率によって割引決済を実行する制御部２０１と、を備える。
【００４５】
従って、クレジットカード運営会社ごとに異なる条件でも割引の設定ができるという効果がある。
【００４６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１：登録処理装置
２：サーバ
２０２Ｃ：設定テーブル
２０２Ｄ：企画テーブル
２０２Ｅ：変換テーブル
【図１】
2015052880.tif 000003
【図２】
2015052880.tif 000004
【図３】
2015052880.tif 000005
【図４】
2015052880.tif 000006
【図５】
2015052880.tif 000007
【図６】
2015052880.tif 000008
【図７】
2015052880.tif 000009
【図８】
2015052880.tif 000010